(57)【特許請求の範囲】
【請求項１】
建物の外壁部に囲まれた屋内空間と、
前記屋内空間の下方に位置し、外気に対して密閉された床下空間と、
前記屋内空間と前記床下空間との間の境界に設けられ、前記屋内空間の空気を前記床下空間に排気するための強制排気装置と、
前記外壁部内を通り、前記床下空間から屋根裏空間にまで至る換気経路と、
前記換気経路内を通過した空気を、前記屋根裏空間から屋外へ排出するための排出口とを備える、建物の換気構造。
【請求項２】
前記換気経路は、前記外壁部の防水ラインよりも前記屋内空間側に設けられた通気路と、前記床下空間と前記通気路とを連通する連通路とを含む、請求項１に記載の建物の換気構造。
【請求項３】
建物の基礎上に配置され、前記外壁部を下方から支持するように前記外壁部の幅方向に沿って延びる土台と、
前記基礎と前記土台との間に、幅方向に間隔をおいて配置される複数の土台スペーサとをさらに備え、
前記連通路は、前記床下空間内の空気が、隣り合う前記土台スペーサ間の隙間と、前記土台の外側面側とを通過するように形成されている、請求項２に記載の建物の換気構造。
【請求項４】
前記外壁部は、前記土台上に間隔をおいて配置される複数の柱と、前記柱よりも屋外側に配置される断熱材とを含み、
前記外壁部内の前記通気路は、前記柱と前記断熱材との間に設けられる、請求項３に記載の建物の換気構造。
【請求項５】
前記外壁部は、前記柱の外側面に当接される面部材と、前記面部材と前記断熱材とに挟まれた複数の壁スペーサとをさらに含み、
前記通気路は、隣り合う前記壁スペーサ間の空間を含む、請求項４に記載の建物の換気構造。
【請求項６】
前記外壁部は、前記柱と前記断熱材とに挟まれた壁スペーサをさらに含み、
前記通気路は、隣り合う前記壁スペーサ間の空間を含む、請求項４に記載の建物の換気構造。
【請求項７】
前記外壁部は、前記土台上に間隔をおいて配置される複数の柱と、隣り合う前記柱間に配置される断熱材と、前記防水ラインよりも前記屋内空間側であって前記柱よりも屋外側に配置される面材とを含み、
前記外壁部内の前記通気路は、前記断熱材と前記面材との間に設けられる、請求項３に記載の建物の換気構造。
【請求項８】
前記外壁部は、前記柱と前記面材とに挟まれた壁スペーサをさらに含み、
前記通気路は、隣り合う前記壁スペーサ間の空間を含む、請求項７に記載の建物の換気構造。
【請求項９】
前記外壁部の前記防水ラインよりも屋外側には、外気を通気させるための外気通気路が設けられている、請求項２〜８のいずれかに記載の建物の換気構造。
【発明の詳細な説明】
【技術分野】
【０００１】
本発明は、建物の換気構造に関し、特に、外気に対して密閉された床下空間を備えた建物の換気構造に関する。
【背景技術】
【０００２】
いわゆる基礎断熱構造を有する建物など、外気に対して密閉された床下空間を備えた建物が存在する。このような建物の床下空間の温度は、外気温や室温の変化に関わらず、１５℃〜２５℃程度の間で安定している。そのため、従来から、床下空間の空気を利用して屋内空間の温度を快適にするための技術が提案されている。
【０００３】
たとえば、特開２００２−１６７８７３号公報（特許文献１）には、居室の吸気口から吸気された外気が、排出口を通して床下空間へ自然排出され、床下空間から壁内空間を通過して小屋裏空間から屋外へ排気される建物が開示されている。この建物において、床下空間から壁内空間への通気は、土台上に一定間隔に設けられた欠き込みを介して行われている。
【０００４】
また、外壁内の通気構造としては、特開２００５−２９０６９５号公報（特許文献２）に示されるように、断熱層と柱（および胴差部）との間に複数の木摺りを配置することによって、断熱層と柱との間に外壁内通気路が形成された建物も提案されている。この建物では、基礎上に配置された土台は、柱よりも屋外側の断熱材の下に配置されている。
【０００５】
また、たとえば特開２００８−１８５３２４号公報（特許文献３）には、２４時間換気のための給気用送風機が屋根裏空間に設けられ、この送風機から全居室空間に給気することで室圧を常に正圧に保持することが開示されている。
【先行技術文献】
【特許文献】
【０００６】
【特許文献１】特開２００２−１６７８７３号公報
【特許文献２】特開２００５−２９０６９５号公報
【特許文献３】特開２００８−１８５３２４号公報
【発明の概要】
【発明が解決しようとする課題】
【０００７】
特に夏季の住宅などでは、最上階の居室が下階の居室に比べて高温となり、最上階の居室は不快な温熱環境となることがある。このような現象が生じる一因として、屋根裏空間の熱が天井を通して居室に伝わってしまうということが考えられる。そこで、特に最上階の居室の温熱環境の改善が求められていた。
【０００８】
上記特許文献１のような建物は、吸気口に設けた強制吸気装置または屋根裏空間に設けた強制排気装置の作動によって、床下空間の空気を、外壁部内の空間を通り屋根裏空間にまで送り込むように構成されている。しかしながら、このような建物では、外壁部内に空気が適切に流動せず、屋内空間の温熱環境の改善が見込めない場合がある。
【０００９】
本発明は、上記のような課題を解決するためになされたものであって、その目的は、屋内空間の温熱環境を改善することのできる建物の換気構造を提供することである。
【課題を解決するための手段】
【００１０】
この発明のある局面に従う建物の換気構造は、建物の外壁部に囲まれた屋内空間と、屋内空間の下方に位置し、外気に対して密閉された床下空間とを備える。また、屋内空間と床下空間との間の境界に設けられ、屋内空間の空気を床下空間に排気するための強制排気装置と、外壁部内を通り、床下空間から屋根裏空間にまで至る換気経路と、換気経路内を通過した空気を、屋根裏空間から屋外へ排出するための排出口とを備えている。
【００１１】
好ましくは、換気経路は、外壁部の防水ラインよりも屋内空間側に設けられた通気路と、床下空間と通気路とを連通する連通路とを含む。
【００１２】
建物の換気構造は、建物の基礎上に配置され、外壁部を下方から支持するように外壁部の幅方向に沿って延びる土台と、基礎と土台との間に、幅方向に間隔をおいて配置される複数の土台スペーサとをさらに備えることが望ましい。この場合、連通路は、床下空間内の空気が、隣り合う土台スペーサ間の隙間と、土台の外側面側とを通過するように形成されている。
【００１３】
好ましくは、外壁部は、土台上に間隔をおいて配置される複数の柱と、柱よりも屋外側に配置される断熱材とを含む。この場合、外壁部内の通気路は、柱と断熱材との間に設けられることが望ましい。
【００１４】
外壁部は、柱の外側面に当接される面部材と、面部材と断熱材とに挟まれた複数の壁スペーサとをさらに含み、通気路は、隣り合う前記壁スペーサ間の空間を含んでもよい。
【００１５】
または、外壁部は、柱と断熱材とに挟まれた壁スペーサをさらに含み、通気路は、隣り合う壁スペーサ間の空間を含んでもよい。
【００１６】
外壁部は、土台上に間隔をおいて配置される複数の柱と、隣り合う柱間に配置される断熱材と、防水ラインよりも屋内空間側であって柱よりも屋外側に配置される面材とを含んでいてもよい。この場合、外壁部内の通気路は、面材と断熱材との間に設けられることが望ましい。
【００１７】
外壁部は、柱と面材とに挟まれた壁スペーサをさらに含み、通気路は、隣り合う壁スペーサ間の空間を含んでもよい。
【００１８】
外壁部の前記防水ラインよりも屋外側には、外気を通気させるための外気通気路が設けられていてもよい。
【発明の効果】
【００１９】
本発明によれば、屋内空間の温熱環境を改善することができる。
【図面の簡単な説明】
【００２０】
【図１】本発明の実施の形態に係る建物の換気構造を模式的に示す従断面図である。
【図２】本発明の実施の形態における換気経路を示す従断面図である。
【図３】本発明の実施の形態における外壁部内の通気路の構成例を示す横断面図である。
【図４】本発明の実施の形態の変形例１における外壁部内の通気路の構成例を示す横断面図である。
【図５】本発明の実施の形態の変形例２における外壁部内の通気路の構成例を示す横断面図である。
【発明を実施するための形態】
【００２１】
本発明の実施の形態について図面を参照しながら詳細に説明する。なお、図中同一または相当部分には同一符号を付してその説明は繰返さない。
【００２２】
＜概要について＞
はじめに、図１を参照して、本実施の形態に係る建物の換気構造の概要について説明する。図１には、建物の従断面構造が部分的に示されている。本実施の形態における建物は、外壁部２に囲まれた屋内空間１１と、屋内空間１１の下方に位置する床下空間１２と、屋内空間１１の上方に位置する屋根裏空間１３とを含む。床下空間１２は、屋外との関係において気密性を有しており、外気に対して密閉されている。本実施の形態では、２４時間換気のための強制排気装置６が、屋内空間１１と床下空間１２との間の境界に位置する床部１４に設けられている。強制排気装置６は、機械的に駆動されることによって、屋内空間１１の空気を床下空間１２に強制的に排気する。
【００２３】
屋内空間１１への外気の給気は、一般的な建物と同様に、たとえば外壁部２に設けられた給気口４から行われる。建物が複数階建ての住宅の場合、屋内空間１１は、下階の屋内空間１１ａと、最上階の屋内空間１１ｂとを含む。また、各屋内空間１１ａ，１１ｂは、居室および非居室（廊下、洗面室など）を含む。なお、以下の説明において、屋内空間１１ａ，１１ｂを区別する必要がない場合には、単に、屋内空間１１という。
【００２４】
強制排気装置６によって、屋内空間１１（より具体的には、下階の屋内空間１１ａ）から床下空間１２に排気された空気は、外壁部２内を通過し、屋根裏空間１３から排出口１３０を介して屋外へ排出される。床下空間１２から屋根裏空間１３にまで至る換気経路５の構成例について、以下に説明する。
【００２５】
＜換気経路について＞
換気経路５については、図２および図３をさらに参照して説明する。なお、図２には、外壁部２の厚み方向が、矢印Ａ１にて示されている。図３には、外壁部２の幅方向が、矢印Ａ２にて示されている。換気経路５は、外壁部２内の通気路５０と、床下空間１２とこの通気路５０とを連通する連通路５３とを含む。外壁部２の通気路５０について、まず説明する。
【００２６】
本実施の形態における外壁部２は、いわゆる外張断熱工法に従った構造を有している。つまり、外壁部２の断熱材２４は、外壁部２の幅方向に沿って間隔を置いて配置された複数の柱２１よりも、屋外側に配置されている。このような外張断熱の外壁部２では、通気路５０は、厚み方向において、柱２１と断熱材２４との間に設けられる。
【００２７】
具体的には、柱２１の屋外側（つまり、外側面側）には、たとえば耐力面材である面部材２３と、断熱材２４と、外装面材２６とが配置されている。また、断熱材２４の屋外側の面に、防水シート２５が配置されている。この防水シート２５と外装面材２６との間には、外気を通気するための外気通気路２０が設けられている。外気通気路２０は、防水シート２５と外装面材２６との間に、上下方向に延びる胴縁２７が設けられることによって形成されている。柱２１の屋内空間１１側（つまり、内側面側）には、内装面材２２が配置されている。
【００２８】
外壁部２内への雨水や外気の侵入は、防水シート２５によって遮られる。したがって、外壁部２の厚み方向における防水シート２５の位置を「防水ライン」という。換気経路５の一部としての通気路５０は、外壁部２が外張断熱であるか否かに関わらず、この防水ラインよりも屋内空間１１側に設けられる。
【００２９】
建物の１階部分における柱２１は、上下方向において土台３１と胴差部３４との間に配置され、建物の上階部分における柱２１は、上下方向において胴差部３４と軒桁部３５との間に配置されている。土台３１、胴差部３４および軒桁部３５は、いずれも、外壁部２の幅方向に沿って延びる水平躯体部である。上記した面部材２３は、これらの水平躯体部の外側面に固定されている。
【００３０】
本実施の形態では、通気路５０は、面部材２３と断熱材２４との間に位置している。図３に示されるように、通気路５０を形成するために、面部材２３と断熱材２４との間に、複数のスペーサ（以下「壁スペーサ」という）５１が挟まれている。複数の壁スペーサ５１は、たとえば上下方向に延びており、幅方向に間隔をおいて配置されている。通気路５０は、幅方向に隣り合う壁スペーサ５１間の空間５２を含む。なお、壁スペーサ５１は、面部材２３と断熱材２４とに直接挟まれることに限定されず、たとえばシート状の他部材を介して挟まれてもよい。
【００３１】
続いて、連通路５３について説明する。図２に示されるように、基礎１と土台３１との間に、複数のスペーサ（以下「土台スペーサ」という）３２が、幅方向に間隔をおいて配置されている。土台スペーサ３２は、公知の基礎パッキンであってよい。また、基礎１上において土台３１よりも屋外側に位置する下地材３３が、厚み方向において土台３１とは離れて配置されている。下地材３３は、基礎１の上端面と断熱材２４の下端面との間に嵌入されている。下地材３３の厚みは、断熱材２４の厚みよりも大きいが、面部材２３の下端位置は、断熱材２４の下端位置よりも高い位置にある。そのため、下地材３３と面部材２３とは互いに接触しない。なお、面部材２３は断熱材２４より下方に長くてもよく、その場合、厚み方向において面部材２３と下地材３３との間に隙間が設けられていればよい。
【００３２】
土台３１周辺をこのような構造とすることで、連通路５３は、幅方向に隣り合う土台スペーサ３２間の隙間５４と、土台３１の外側面側の隙間（すなわち、土台３１と下地材３３との間に隙間）５５とによって形成される。したがって、床下空間１２に排気された空気は、これらの隙間５４，５５を通って、外壁部２内の通気路５０に送り込まれる。
【００３３】
上述のような換気経路５を有する建物によれば、床下空間１２の夏は涼しく冬は暖かい空気を、外壁部２内を通して屋根裏空間１３にまで送ることができる。これにより、たとえば夏季においては、屋根裏空間１３が高温化し、その影響で最上階の屋内空間１１ｂが下階の屋内空間１１ａよりも高温化してしまうことを防止することができる。つまり、最上階の屋内空間１１ｂの温熱環境を改善することができる。
【００３４】
また、本実施の形態では、床下空間１２の空気は、外壁部２内の断熱材２４よりも屋内空間１１側に設けられた通気路５０を通過する。そのため、通気路５０内を通過する空気が、外気の影響を受けて温められてしまうことを防止することができる。また、面部材２３が冷やされるため、面部材２３よりも内部空間１１側に位置する柱２１や内装面材２２の温度上昇を抑えることができる。したがって、上階以外の屋内空間１１ａにおける温熱環境も改善することができる。
【００３５】
また、本実施の形態によれば、２４時間換気のための強制排気装置６が、屋内空間１１と床下空間１２との境界に設けられるため、屋内空間１１から床下空間１２への排気は、この強制排気装置６によって強制的に行われる。床下空間１２は、屋内空間１１に含まれる居室よりも狭い空間である。また、床下空間１２は、居室のように人の出入りがないため、常に密閉されている。したがって、建物内における人の動きに関わらず、強制排気装置６の作動によって床下空間１２を常に正圧にすることができる。これにより、強制排気装置６によって床下空間１２に排気された空気を、換気経路５を通って屋根裏空間１３にまで押し上げることができる。つまり、外壁部２内の通気路５０に空気を十分に流動させることができる。その結果、通気路５０を流動する空気と外壁部２内の柱２１や内装部材２２との熱交換を促進させることができ、屋内空間１１の温熱環境を適切に改善することができる。
【００３６】
また、一定の換気量を確保することができるため、屋内空間１１の２４時間換気を正常に行うことができる。また、２４時間換気において屋根裏空間１３からの排熱が行われるため、屋内空間１１の換気と屋根裏空間１３の排熱とを効率良く行うことができる。
【００３７】
また、本実施の形態では、外壁部２内に複数の壁スペーサ５１を設け、土台３１の下に土台スペーサ３２を設けるだけで、換気経路５を構成することができる。したがって、土台３１の加工や特殊な部材等を必要とすることなく、簡単な構成で、建物の換気構造を実現することができる。
【００３８】
また、連通路５３は、床下空間１２内の空気が土台３１の下面および外側面を通過するように形成されている。そのため、外気に対して密閉された床下空間１２を備えた建物においても、基礎１上の土台３１を乾燥状態に保つことができる。
【００３９】
なお、外壁部２内の通気路５０の位置は、上記例に限定されない。以下に、外壁部の他の例について、本実施の形態の変形例１，２として説明する。
【００４０】
＜変形例１＞
図４は、本実施の形態の変形例１に係る外壁部２Ａ内の通気路５０Ａの構成例を示す横断面図である。図４を参照して、外壁部２Ａは、上記面部材２３を含まない。代わりに、外壁部２Ａは、筋かい２８を含んでいる。筋かい２８の厚みは、柱２１の厚み寸法以下であり、筋かい２８は、たとえば、隣り合う柱２１間に斜めに配置されている。１階部分の筋かい２８は、上下方向において土台３１から胴差部３４にまで延びている。２階部分の筋かい２８は、上下方向において胴差部３４から軒桁部３５にまで延びている。
【００４１】
外壁部２Ａの場合、壁スペーサ５１は、柱２１（および水平躯体部）と断熱材２４との間に挟まれている。本実施の形態では、柱２１に当接する面部材２３が含まれないため、通気路５０Ａには、隣り合う壁スペーサ５１間の空間５２に加え、隣り合う柱２１間の空間（筋かい２８を除いた空間）２１０がさらに含まれる。そのため、夏季においては、床下空間１２からの涼しい空気が、内装面材２２のすぐ裏面側（屋外側の面）を通過する。したがって、本変形例によれば、屋内空間１１の室温をより快適にすることもできる。
【００４２】
なお、図４では、１つの柱２１に対して２つの壁スペーサ５１が配置されているが、１つの壁スペーサ５１だけが配置されてもよい。また、壁スペーサ５１は、筋かい２８と断熱材２４との間にも配置されてもよい。
【００４３】
＜変形例２＞
図５は、本発明の実施の形態の変形例２に係る外壁部２Ｂ内の通気路５０Ｂの構成例を示す横断面図である。図５を参照して、外壁部２Ｂは、いわゆる充填断熱工法に従った構造を有している。つまり、外壁部２Ｂの断熱材２４Ａは、隣り合う柱２１間に設けられている。
【００４４】
このような外壁部２Ｂでは、通気路５０Ｂは、面材２９と断熱材２４Ａとの間に設けられる。この場合、壁スペーサ５１は、柱２１と面材２９とに挟まれている。面材２９は、耐力面材であってもよい。面材２９が耐力面材でない場合、外壁部２Ｂは、柱２１間に筋かい（図示せず）を有していてもよい。この場合、断熱材２４Ａは、隣り合う柱２１間に、筋かいを避けるようにして挿入されていればよい。
【００４５】
なお、充填断熱工法による外壁部においても、図３等に示した面部材２３が柱２１および水平躯体部の外側面に当接されていてもよい。この場合、壁スペーサ５１は、この面部材と屋外側の面材２９（図５）との間に配置されてもよい。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４７】
１  基礎、２，２Ａ，２Ｂ  外壁部、４  給気口、５  換気経路、６  強制排気装置、１１，１１ａ，１１ｂ  屋内空間、１２  床下空間、１３  屋根裏空間、１４  床部、２１  柱、２２  内装面部材、２３  面部材、２４，２４Ａ  断熱材、２５  防水シート、２６  外装面材、２９  面材、３１  土台、３２  土台スペーサ、３３  下地材、３４  胴差部、３５  軒桁部、５０，５０Ａ  通気路、５１  壁スペーサ、５３  連通路、１３０  排出口。
【図１】
0006014016.tif 000002
【図２】
0006014016.tif 000003
【図３】
0006014016.tif 000004
【図４】
0006014016.tif 000005
【図５】
0006014016.tif 000006